(57)【要約】      （修正有）【課題】ＰＴＰシート等の直方体形状の収容物の包装に好適で、箱体の中の収容物が前後方向に大きく揺れないように緩衝的に保護する機能を備えたシンプルな包装箱を提供する。【解決手段】筒体と、筒体の一端を閉鎖する蓋部とを備える。蓋部は、外蓋片４４（１）、内蓋片６４（１）及びサイドフラップ４０（１）、６０（１）を備え、さらに、外蓋片４４（１）の端辺に延設された補助片４８（１）と、補助片４８（１）の端辺の中央部に延設された第一の可撓性舌片５２（１）とを備える。開封前の組み立て状態で、補助片４８（１）は、第二折罫線５０（１）で折れて片方の面が外蓋片４４（１）の内面に重なって糊付けされ、反対側の面が内蓋片６４（１）の外面に重なって糊付けされる。第一の可撓性舌片５２（１）は、延出方向の端辺が第二の側面板２０の内面に係止され、第三折罫線５４（１）が折れて内向きに屈曲して開封部５６（１）の内側に斜めに配置される。【選択図】図２
0003234703.tif 000002
【実用新案登録請求の範囲】
【請求項１】
周方向に順に連続する第一から第四の側面板を有し、前記第一及び第三の側面板が左右方向に対向し、前記第二及び第四の側面板が前後方向に対向する四角形の筒体と、前記第二の側面板の端辺に第一折罫線を介して延設された外蓋片と、前記第四の側面板の端辺に延設された内蓋片と、前記第一及び第三の側面板の端辺に各々延設された一対のサイドフラップと、前記第二の側面板の、前記第一折罫線がある端部に設けられた開封部と、開封時に前記外蓋片及び前記開封部を前記第二の側面板から分離させるための開封用破断線とを備え、開封前の組み立て状態で、前記サイドフラップ、前記内蓋片及び前記外蓋片が内側から順に重なり、前記外蓋片と前記内蓋片とが接合されて蓋部が形成されるシールエンド型の包装箱において、
前記蓋部は、前記外蓋片の延出方向の端辺に、前記第一折罫線と平行な第二折罫線を介して延設された補助片と、前記補助片の延出方向の端辺の中央部に、前記第二折罫線と平行な第三折罫線を介して延設された第一の可撓性舌片とを備え、前記第一の可撓性舌片には、基端部の両側を各々内向きに切り欠くことによって、互いに反対方向に突出する係合部が一対に設けられており、２つの前記サイドフラップには、前記外蓋片に近い側辺又は先端角部を切り欠くことによって、前記第一の可撓性舌片の前記係合部が係合可能の係合受け部が各々設けられており、
開封前の組み立て状態で、前記補助片は、前記第二折罫線で折れて片方の面が前記外蓋片の内面に重なって糊付けされ、且つ反対側の面が前記内蓋片の外面に重なって糊付けされ、前記第一の可撓性舌片は、延出方向の端辺が前記第二の側面板の内面に係止され、且つ前記第三折罫線が折れて内向きに屈曲して前記開封部の内側に斜めに配置され、
前記開封用破断線が切り離されて開封された後、再封された状態で、前記サイドフラップ、前記内蓋片及び前記外蓋片が順に重なり、前記第一の可撓性舌片の前記係合部が前記サイドフラップの前記係合受け部に係合することによって、前記蓋部が閉じた状態に保持されることを特徴とする包装箱。
【請求項２】
前記補助片の内側に、外面側に凸のエンボス状に形成された凸領域が設けられ、開封前の組み立て状態で、前記補助片は、前記凸領域の内面側の凹んだ中の糊によって前記内蓋片の外面に糊付けされている請求項１記載の包装箱。
【請求項３】
前記蓋部が、前記筒体の両端に一対に設けられている請求項１又は２記載の包装箱。
【請求項４】
一枚の箱体形成片を組み立てることによって形成される請求項１乃至３のいずれか記載の包装箱。
【請求項５】
前記箱体形成片は、前記第一から第四の側面板が、前記第二又は第四の側面板を端に配して一列に連接され、端に位置する前記第二又は第四の側面板の連接方向の端辺に糊付け板とが延設され、前記糊付け板の、前記蓋部を構成する部材に近い端辺に、第二の可撓性舌片が第四折罫線を介して延設され、
開封前の組み立て状態で、前記糊付け板が、反対側の端に位置する第一又は第三の側面板の内面に糊付けされて前記筒体を形成し、前記第二の可撓性舌片は、延出方向の端辺が前記サイドフラップの内面に係止され、且つ前記第四折罫線が折れて内向きに屈曲して前記サイドフラップの内側に斜めに配置される請求項１乃至３のいずれか記載の包装箱。
【考案の詳細な説明】
【技術分野】
【０００１】
本考案は、収容物を緩衝的に保護する機能を備えた包装箱に関し、特に、直方体形状の収容物の包装に適した包装箱に関する。
【背景技術】
【０００２】
従来、本願出願人による特許文献１に開示されているように、箱体の中の直方体形状の収容物が大きく揺れないように緩衝的に保持する構造を備えた包装箱があった。この包装箱は、筒体の底側の端部を閉鎖する第二の蓋部を有し、第二の蓋部を構成するサイドフラップの先端部に可撓板が延設され、組み立て状態で、このサイドフラップとサイドフラップが延設された側面板とが交差する角部に可撓板が斜めに配置され、この可撓板が、収容物の下側の角部を緩衝的に支持する構造になっている。
【先行技術文献】
【特許文献】
【０００３】
【特許文献１】実用新案登録３２２２８６０号公報
【考案の概要】
【考案が解決しようとする課題】
【０００４】
直方体形状の収容物の代表的なものとして、薬用の錠剤等を包装したＰＴＰシートを重ねて束ねたものが挙げられる。ＰＴＰシートは、錠剤を収容するエンボス状の収容部が弱いので、輸送中、収容部に強い外力や衝撃が加わらないようにすることが求められる。
【０００５】
ＰＴＰシートを包装箱の中に入れる時は、ＰＴＰシートの厚み方向（錠剤等が入れられた収容部が突出する方向）を包装箱の前後方向に配して収容するケースが多い。したがって、包装箱に緩衝機構を設ける場合、ＰＴＰシートの収容部が前後の側面板に強くぶつからないようにするため、ＰＴＰシートが前後方向に揺れにくい構造であることが望ましい。
【０００６】
しかしながら、特許文献１の包装箱が有する緩衝機構は、収容物を左右方向に揺れにくくするものであり、前後方向に揺れにくくするものではない。したがって、収容物がＰＴＰシートの場合、緩衝効果が不十分になる可能性がある。
【０００７】
本考案は、上記背景技術に鑑みて成されたものであり、ＰＴＰシート等の直方体形状の収容物の包装に好適で、箱体の中の収容物が前後方向に大きく揺れないように緩衝的に保護する機能を備えたシンプルな包装箱を提供することを目的とする。
【課題を解決するための手段】
【０００８】
本考案は、周方向に順に連続する第一から第四の側面板を有し、前記第一及び第三の側面板が左右方向に対向し、前記第二及び第四の側面板が前後方向に対向する四角形の筒体と、前記第二の側面板の端辺に第一折罫線を介して延設された外蓋片と、前記第四の側面板の端辺に延設された内蓋片と、前記第一及び第三の側面板の端辺に各々延設された一対のサイドフラップと、前記第二の側面板の、前記第一折罫線がある端部に設けられた開封部と、開封時に前記外蓋片及び前記開封部を前記第二の側面板から分離させるための開封用破断線とを備え、開封前の組み立て状態で、前記サイドフラップ、前記内蓋片及び前記外蓋片が内側から順に重なり、前記外蓋片と前記内蓋片とが接合されて蓋部が形成されるシールエンド型の包装箱であって、
前記蓋部は、前記外蓋片の延出方向の端辺に、前記第一折罫線と平行な第二折罫線を介して延設された補助片と、前記補助片の延出方向の端辺の中央部に、前記第二折罫線と平行な第三折罫線を介して延設された第一の可撓性舌片とを備え、前記第一の可撓性舌片には、基端部の両側を各々内向きに切り欠くことによって、互いに反対方向に突出する係合部が一対に設けられており、２つの前記サイドフラップには、前記外蓋片に近い側辺又は先端角部を切り欠くことによって、前記第一の可撓性舌片の前記係合部が係合可能の係合受け部が各々設けられており、
開封前の組み立て状態で、前記補助片は、前記第二折罫線で折れて片方の面が前記外蓋片の内面に重なって糊付けされ、且つ反対側の面が前記内蓋片の外面に重なって糊付けされ、前記第一の可撓性舌片は、延出方向の端辺が前記第二の側面板の内面に係止され、且つ前記第三折罫線が折れて内向きに屈曲して前記開封部の内側に斜めに配置され、
前記開封用破断線が切り離されて開封された後、再封された状態で、前記サイドフラップ、前記内蓋片及び前記外蓋片が順に重なり、前記第一の可撓性舌片の前記係合部が前記サイドフラップの前記係合受け部に係合することによって、前記蓋部が閉じた状態に保持される包装箱である。
【０００９】
前記補助片の内側に、外面側に凸のエンボス状に形成された凸領域が設けられ、開封前の組み立て状態で、前記補助片は、前記凸領域の内面側の凹んだ中の糊によって前記内蓋片の外面に糊付けされていることが好ましい。また、前記蓋部が、前記筒体の両端に一対に設けられていてもよい。
【００１０】
また、一枚の箱体形成片を組み立てることによって形成されることが好ましい。この場合、前記箱体形成片は、前記第一から第四の側面板が、前記第二又は第四の側面板を端に配して一列に連接され、端に位置する前記第二又は第四の側面板の連接方向の端辺に糊付け板とが延設され、前記糊付け板の、前記蓋部を構成する部材に近い端辺に、第二の可撓性舌片が第四折罫線を介して延設され、開封前の組み立て状態で、前記糊付け板が、反対側の端に位置する第一又は第三の側面板の内面に糊付けされて前記筒体を形成し、前記第二の可撓性舌片は、延出方向の端辺が前記サイドフラップの内面に係止され、且つ前記第四折罫線が折れて内向きに屈曲して前記サイドフラップの内側に斜めに配置される構成にすることが好ましい。
【考案の効果】
【００１１】
本考案の包装箱は、構成がシンプルで非常に組み立てやすい。そして、蓋部に独特な第一の可撓性舌片を設けているので、箱体の中の収容物を、前後方向に大きく揺れないように緩衝的に保護することができる。また、再封機能も備えており、蓋部を開封した後、第一の可撓性舌片の係合部をサイドフラップの係合受け部に係合させることによって、蓋部を閉じた状態に保持させることができる。さらに、筒体を形成するための糊付け板に第二の可撓性舌片を付設することによって、箱体の中の収容物を、左右方向にも大きく揺れないように緩衝的に保護することができる。
【図面の簡単な説明】
【００１２】
【図１】本考案の包装箱の一実施形態の組み立て状態を示す斜視図（ａ）、外蓋片を除く蓋部の構造を示す斜視図（ｂ）である。
【図２】この実施形態の包装箱を展開した箱体形成片を裏面側から見た平面図である。
【図３】この実施形態の包装箱の組み立て工程（箱体形成片を折り畳む工程）を順に示す平面図（ａ）、（ｂ）である。
【図４】この実施形態の包装箱の組み立て工程（箱体形成片を折り畳む工程）を順に示す平面図（ａ）、（ｂ）である。
【図５】この実施形態の包装箱の組み立て工程における、下側の蓋部を形成した状態の内部構造を第二の側面板の側から見た縦断面図（ａ）、第一の側面板の側から見た縦断面図（ｂ）である。
【図６】この実施形態の包装箱の組み立て状態の内部構造を第二の側面板の側から見た縦断面図（ａ）、第一の側面板の側から見た縦断面図（ｂ）である。
【図７】この実施形態の包装箱の蓋部を開封した状態を示す斜視図（ａ）、再封した状態を示す斜視図（ｂ）である。
【考案を実施するための形態】
【００１３】
以下、本考案の包装箱の一実施形態について、図面に基づいて説明する。この実施形態の包装箱１０は、ＰＴＰシートを束ねた収容物Ｓを包装する箱体で、図１（ａ）に示すように、四角形の筒体１２を有し、筒体１２の上側の端部が蓋部１４(1)で閉鎖され、下側の端部が蓋部１４(2)で閉鎖される。蓋部１４(1)と１４(2)は、筒体１２を挟んでほぼ面対称な構造になっている。
【００１４】
包装箱１０は、一定の可撓性を有した厚紙等で成る一枚の箱体形成片１６を組み立てることによって形成される。箱体形成片１６は、図２に示すように、一列に順に連接された第一から第四の側面板１８，２０，２２，２４を有している。４つの側面板２０，２２，２４，２６は、連接している幅方向の長さが同じで、連接方向の長さは、第一及び第三の側面板１８，２２が短くて互いにほぼ等しく、第二及び第四の側面板２０，２４が長くて互いにほぼ等しい。第一から第四の側面板１８，２０，２２，２４は、互いに平行な折罫線２６，２８，３０で各々区切られている。
【００１５】
第四の側面板２４の連接方向の端辺には、糊付け板３２が延設され、折罫線３４で第四の側面板２４と区切られている。糊付け板３２は、筒体１２を形成するため、組み立て時に第一の側面板１８の端部に糊付けされる部分である。さらに、糊付け板３２の延出方向と直角な両側辺に、第二の可撓性舌片３６(1)，３６(2)が各々延設され、第四折罫線３８(1)，３８(2)で糊付け板３２と各々区切られている。
【００１６】
第一から第四の側面板１８，２０，２２，２４の、図２における上側の端辺には、一方の蓋部１４(1)を形成するための部材が各々延設され、下側の端辺には、反対側の蓋部１４(2)を形成するための部材が各々延設されている。以下、これらについて順に説明する。
【００１７】
第一の側面板１８の上側の端部には、台形状のサイドフラップ４０(1)が延設され、折罫線４２(1)で第一の側面板１８と区切られている。サイドフラップ４０(1)の延出方向長さは、第二及び第四の側面板２０，２４の連接方向長さの半分よりも少し短い。そして、サイドフラップ４０(1)の、第二の側面板２０に近い方の先端角部を略Ｖ字形に切り欠くことによって、係合受け部４０ａ(1)が設けられている。
【００１８】
第一の側面板１８の下側の端辺及び端部には、サイドフラップ４０(1)、係合受け部４０ａ(1)及び折罫線４２(1)と同様の、サイドフラップ４０(2)、係合受け部４０ａ(2)及び折罫線４２(2)が設けられている。
【００１９】
第二の側面板２０の上側の端辺には、略四角形の外蓋片４４(1)が延設され、第一折罫線４６(1)で第二の側面板２０と区切られている。外蓋片４４(1)の延出方向長さは、第一及び第三の側面板１８，２２の連接方向長さとほぼ同じである。また、外蓋片４４(1)の延出方向の端辺には、四角形の補助片４８(1)が延設され、第一折罫線４６(1)とほぼ平行な第二折罫線５０(1)で外蓋片４４(1)と区切られている。補助片４８(1)の延出方向長さは、第一及び第三の側面板１８，２２の連接方向長さの約2/3である。そして、図２の右上に付記した縦断面図に示すように、補助片４８(1)のほぼ中央部に、基材の裏面側に凸のエンボス状に形成された凸領域４８ａ(1)が設けられている。
【００２０】
さらに、補助片４８(1)の延出方向の端辺の中央部に、第一の可撓性舌片５２(1)が延設され、第二折罫線４６(1)とほぼ平行な第三折罫線５４(1)で補助片４８(1)と区切られている。第一の可撓性舌片５２(1)の延出方向長さは、第一及び第三の側面板１８，２２の連接方向長さの約2/3である。第一の可撓性舌片５２(1)には、基端部の両側端を各々内向きに切り欠くことによって、互いに反対方向に突出する係合部５２ａ(1)が一対に設けられている。係合部５２ａ(1)は、先端部が丸く面取りされている。
【００２１】
さらに、第二の側面板２０の上側の端部には、指で押圧できる大きさの開封部５６(1)と、開封時に外蓋片４４(1)及び開封部５６(1)を第二の側面板２０から分離させるための開封用破断線５８(1)が設けられている。
【００２２】
第二の側面板２０の下側の端辺及び端部には、外蓋片４４(1)、第一折罫線４６(1)、補助片４８(1)、凸領域４８ａ(1)、第二折罫線５０(1)、第一の可撓性舌片５２(1)、係合部５２ａ(1)、第三折罫線５４(1)、開封部５６(1)及び開封用破断線５８(1)と同様の、外蓋片４４(2)、第一折罫線４６(2)、補助片４８(2)、凸領域４８ａ(2)、第二折罫線５０(2)、第一の可撓性舌片５２(2)、係合部５２ａ(2)、第三折罫線５４(2)、開封部５６(2)及び開封用破断線５８(2)が設けられている。
【００２３】
第三の側面板２２の上側の端辺には、台形状のサイドフラップ６０(1)が延設され、折罫線６２(1)で第三の側面板２２と区切られている。サイドフラップ６０(1)の延出方向長さは、第二及び第四の側面板２０，２４の連接方向長さの半分よりも少し短い。そして、サイドフラップ６０(1)の、第二の側面板２０に近い方の先端角部がＶ字形に切り欠かれ、係合受け部６０ａ(1)が設けられている。
【００２４】
第三の側面板２２の下側の端辺及び端部には、サイドフラップ６０(1)、係合受け部６０ａ(1)及び折罫線６２(1)と同様の、サイドフラップ６０(2)、係合受け部６０ａ(2)及び折罫線６２(2)が設けられている。
【００２５】
第四の側面板２４の上側の端辺には、四角形の内蓋片６４(1)が延設され、折罫線６６(1)で第四の側面板２４と区切られている。内蓋片６４(1)の延出方向長さは、第一及び第三の側面板１８，２２の連接方向長さの約2/3である。そして、第四の側面板２４の下側の端辺及び端部には、内蓋片６４(1)及び折罫線６６(1)と同様の、内蓋片６４(2)及び折罫線６６(2)が設けられている。
【００２６】
なお、糊付け板３２の上側の端辺に延設された第二の可撓性舌片３６(1)は、先端部が折罫線６６(1)を超えて上向きに突出し、糊付け板３２の下側の端辺に延設された第二の可撓性舌片３６(2)も、先端部が折罫線６６(2)を超えて下向きに突出している。
【００２７】
次に、包装箱１０の組み立て方法の一例を説明する。ここでは、図２に示す箱体形成片１６の各折罫線の折り曲げ方について、表面が凸になる折り方を正折り、裏面が凸になる折り方を逆折りと称する。
【００２８】
まず、図３（ａ）に示すように、補助片４８(1)の凸領域４８ａ(1)の裏面側及び補助片４８(2)の凸領域４８ａ(2)の裏面側に糊６８(1)，６８(2)を各々塗布する。そして、図３（ｂ）に示すように、補助片４８(1)を第二の折罫線５０(1)で正折りして外蓋片４４(1)の裏面に重ね、補助片４８(1)を外蓋片４４(1)に糊付けする。さらに、補助片４８(2)を第二の折罫線５０(2)で正折りして外蓋片４４(2)の裏面に重ね、補助片４８(2)を外蓋片４４(2)に糊付けする。
【００２９】
その後、図４（ａ）に示すように、第四の側面板２４を折罫線３０で正折りし、第四の側面板２４及び糊付け板３２を第二及び第三の側面板２０，２２の裏面に重ね、糊付け板３２の表面に糊７０を塗布する。そして、図４（ｂ）に示すように、第一の側面板１８を折罫線２６で正折りして糊付け板３２に重ね、第一の側面板１８を糊付け板３２に糊付けする。箱体形成片１６は、この折り畳み状態で包装箱１０の製造工場等から出荷される。
【００３０】
次に、収容物Ｓの包装を行う工場等において、箱体形成片１６の折罫線２６，２８，３０，３４を各々９０度に正折りし、第一から第四の側面板１８，２０，２２，２４及び糊付け板３２で成る四角形の筒体１２を形成する。そして、筒体１２の下側の端部を蓋部１４(2)で閉鎖するため、サイドフラップ４０(2)，６０(2)を折罫線４２(2)，６２(2)で各々９０度に正折りし、内蓋片６４(2)を折罫線６６(2)で９０度に正折りする。そして、補助片４８(2)の凸領域４８ａ(2)の表面側に糊７２(2)を塗布した後、外蓋片４４(2)を第一折罫線４６(2)で９０度に正折りし、補助片４８(2)を内蓋片６４(2)に重ねて糊付けする。これで、下側の蓋部１４(2)が形成され、箱体形成片１６が図５（ａ）、（ｂ）に示す状態になる。
【００３１】
この状態を簡単に説明すると、筒体１２は、第一の側面板１８の内面に糊付け板３２が重なって糊７０で糊付けされ、４つの側面板１８，２０，２２，２４が周方向に連続し、第一及び第三の側面板１８，２２が左右方向に対向し、第二及び第四の側面板２０，２４が前後方向に対向する。筒体１２の上側の端部は開放している。
【００３２】
筒体１２の下側の端部を閉鎖する蓋部１４(2)は、サイドフラップ４０(2)，６０(2)、内蓋片６４(2)、補助片４８(2)及び外蓋片４４(2)が内側から順に重なる。補助片４８(2)は、第二折罫線５０(2)で折れて片方の面（基材の裏面）が外蓋片４４(2)の内面に重なって糊６８(2)で糊付けされ、反対側の面（基材の表面）が内蓋片６４(2)の外面に重なって糊７２(2)で糊付けされる。補助片４８(2)と内蓋片６４(2)を糊付けする時、双方をしっかり位置決めすることは難しいが、凸領域４８ａ(2)の凹んだ中に塗布された十分な量の糊７２(2)により、しっかりと接合される。
【００３３】
補助片４８(2)に延設された第一の可撓性舌片５２(2)は、延出方向の端辺が第二の側面板２０の内面に係止され、第三折罫線５４(2)が折れて内向きに屈曲して開封部５６(2)の内側に斜めに配置される。また、糊付け板３２に延設された第二の可撓性舌片３６(2)は、延出方向の端辺がサイドフラップ４０(2)の内面に係止され、第四折罫線３８(2)が折れて内向きに屈曲してサイドフラップ４０(2)の内側に斜めに配置される。
【００３４】
その後、筒体１２の上側の端部から、ＰＴＰシートを束ねた収容物Ｓを中に入れる。収容物Ｓを入れる時は、ＰＴＰシートの厚み方向（錠剤等が入れられた収容部が突出する方向）が包装箱１０の前後方向に配される向きに入れる。
【００３５】
そして、上側の蓋部１４(1)を組み立てて閉鎖すると、図６（ａ）、（ｂ）及び図１（ａ）、（ｂ）に示す包装箱１０の組み立て状態になる。蓋部１４(1)を組み立てる手順と、組み立てられた蓋部１４(1)の状態は、上記の蓋部１４(2)と同様である。
【００３６】
包装箱１０を開封する時は、蓋部１４(1)と１４(2)のどちらを開封してもよい。蓋部１４(1)を開封する場合、開封部５６(1)を指で押し込む等して開封用破断線５８(1)を破断させ、開封部５６(1)及び外蓋片４４(1)を第二の側面板２０から分離させる。そして、図７（ａ）に示すように、外蓋片４４(1)等を大きく引き上げ、さらにサイドフラップ４０(1)，６０(1)を大きく引き上げると、筒体１２の上側の端部が開放し、中の収容物Ｓ（図示せず）を取り出すことができる。
【００３７】
包装箱１０を開封した後、再封する時は、まず、サイドフラップ４０(1)，６０(1)を倒し、次に外蓋片４４(1)を倒す。外蓋片４４(1)を倒す時は、第一の可撓性舌片５２(1)の幅広になった先端部を、サイドフラップ４０(1)と６０(1)との隙間（切り欠かれた部分）に指で案内して差し込み、第一の可撓性舌片５２(1)の係合部５２ａ(1)をサイドフラップ４０(1)，６０(1)の係合受け部４０ａ(1)，６０ａ(2)に係合させる。係合部５２ａ(1)が係合受け部４０ａ(1)，０ａ(1)に係合すると、蓋部１４(1)が閉じた状態に保持され、図７（ｂ）に示す再封状態になる。
【００３８】
包装箱１０を開封した後、廃棄する時は、未開封の蓋部１４(2)を開封する。蓋部１４(2)の開封は、上記の蓋部１４(1)を開封する手順と同様である。２つの蓋部１４(1)，１４(2)が開封されると、包装箱１０を平坦に折り畳むことができるので、包装箱１０をコンパクトに廃棄することができる。
【００３９】
以上説明したように、包装箱１０は、構成がシンプルで非常に組み立てやすい。そして、蓋部１４(1)，１４(2)に独特な第一の可撓性舌片５２(1)，５２(2)を設けているので、箱体の中の収容物Ｓを、前後方向に大きく揺れないように緩衝的に保護することができる。さらに、第二の可撓性舌片３６(1)，３６(2)を設けているので、包装箱１０の中の収容物Ｓを、左右方向にも大きく揺れないように緩衝的に保護することができる。
【００４０】
また、包装箱１０は再封機能も備えており、例えば蓋部１４(1)を開封した後、第一の可撓性舌片の係合部５２(1)をサイドフラップ４０(1)，６０(1)の係合受け部４０ａ(1)，６０ａ(1)に係合させることによって、蓋部１４(2)を閉じた状態に保持させることができる。
【００４１】
なお、本考案の包装箱は、上記実施形態に限定されるものではない。例えば、第一の可撓性設片の係合部の形状、及びサイドフラップの係合受け部の形状は、上述した手順で組み立てたり再封したりすることができるものであればよく、基材の厚みや材質に応じて適宜変更したり調節したりすることができる。
【００４２】
また、包装箱１０の場合、２つの蓋部の両方を本考案の蓋部（第一の可撓性舌片等を備えた蓋部）にしているが、片方の蓋部だけを本考案の蓋部にすることも可能である。片方の蓋部だけを本考案の蓋部にする場合は、輸送時に下側に配される方の蓋部を本考案の蓋部にすることが好ましく、収容物の下部を第一の可撓性舌片で緩衝的に支持することができる。
【符号の説明】
【００４３】
１０  包装箱
１２  筒体
１４(1)，１４(2)  蓋部
１６  箱体形成片
１８  第一の側面板
２０  第二の側面板
２２  第三の側面板
２４  第四の側面板
３２  糊付け板
３６(1)，３６(2)  第二の可撓性舌片
３８(1)，３８(2)  第四折罫線
４０(1)，４０(2)，６０(1)，６０(2)  サイドフラップ
４０ａ(1)，４０ａ(2)，６０ａ(1)，６０ａ(2)  係合受け部
４４(1)，４４(2)  外蓋片
４６(1)，４６(2)  第一折罫線
４８(1)，４８(2)  補助片
４８ａ(1)，４８ａ(2)  凸領域
５０(1)，５０(2)  第二折罫線
５２(1)，５２(2)  第一の可撓性舌片
５２ａ(1)，５２ａ(2)  係合部
５４(1)，５４(2)  第三折罫線
５６(1)，５６(2)  開封部
５８(1)，５８(2)  開封用破断線
６４(1)，６４(2)  内蓋片
６８(1)，６８(2)，７０，７２(1)，７２(2)  糊
【図１】
0003234703.tif 000003
【図２】
0003234703.tif 000004
【図３】
0003234703.tif 000005
【図４】
0003234703.tif 000006
【図５】
0003234703.tif 000007
【図６】
0003234703.tif 000008
【図７】
0003234703.tif 000009